(57)【要約】【課題】綴じ部材に腕やクランクが不要であり、綴じ部材の先端部に付勢部材の一部による力が集中しやすく、しかも、製造しやすい、綴じ具を提供する。【解決手段】この発明にかかる被綴じ物Ｘを押圧する綴じ部材７０と、ロック状態とロックを解除する状態とに綴じ部材７０を移動するように操作するための操作部材６０と、台部材２２と、綴じ部材７０を付勢する付勢部材５０とを含み、前記綴じ部材７０は、枢軸部７２を備え、前記付勢部材５０は、その一部分が綴じ部材７０の押圧部に向かってのびて、綴じ部材７０を枢軸部７２を中心として被綴じ物Ｘを押圧するホールド状態と被綴じ物より離れるオープン状態とに回動するように作動させるとともに綴じ部材７０をホールド状態から被綴じ物より離れるオープン状態に移動するときに前記枢軸部７２ののびる方向にスライドするように作動させるように構成されている。【選択図】図１
2011189552.tif 000002
【特許請求の範囲】
【請求項１】
被綴じ物を押圧して保持する押圧部を有する綴じ部材と、
前記綴じ部材が、被綴じ物を押圧するロック状態とロックを解除する状態とに移動するように操作するために設けられた操作部材と、
前記綴じ部材及び／又は操作部材を設ける台部材と、
被綴じ物を押圧する方向に綴じ部材を付勢する付勢部材とを含む綴じ具であって、
前記綴じ部材は、被綴じ物を押圧するホールド状態と被綴じ物より離れるオープン状態とに回動するための枢軸部を備え、
前記付勢部材は、その一部分が綴じ部材の押圧部に向かってのびて、綴じ部材を枢軸部を中心として被綴じ物を押圧するホールド状態と被綴じ物より離れるオープン状態とに回動するように作動させるとともに綴じ部材をホールド状態から被綴じ物より離れるオープン状態に移動するときに前記枢軸部ののびる方向にスライドするように作動させるように構成された、
綴じ具。
【請求項２】
前記綴じ部材は、その全体がほぼアーチ状に形成され、その一端側部分に前記押圧部が下方に向かってのびるように形成され、その他端側部分に一対の枢軸部が前記他端側部分に平行にかつ互いに逆方向及び／又は同方向にのびるように形成され、前記一端側部分と前記他端側部分との間に、前記付勢部材の一部分を挿通するための貫通孔が形成され、
前記付勢部材の前記一部分は、前記綴じ部材が被綴じ物を押圧するホールド状態から被綴じ物より離れるオープン状態に移動するように前記操作部材を操作したときに、上方向および前記綴じ部材の前記一対の枢軸部がのびる長手方向であって手前側から向こう側に移動するように形成され、
前記綴じ部材は、前記一対の枢軸部を回転中心として回転可能に支持されるとともに、前記一対の枢軸部がのびる長手方向であって手前側から向こう側にスライド可能に支持され、
前記綴じ部材は、前記付勢部材の前記一部分が前記上方向に移動するときに、前記一対の枢軸部を回転中心として回転し、前記付勢部材の前記一部分が前記長手方向であって手前側から向こう側に移動するときに、前記一対の枢軸部がのびる方向にスライドするように構成された、請求項１に記載の綴じ具。
【請求項３】
前記付勢部材は、綴じ部材の押圧部に向かってのびた一部分が、綴じ部材の枢軸部がのびる長手方向と交差する方向における綴じ部材の中央より被綴じ物を押圧する側において、綴じ部材に緩挿された、請求項１又は請求項２に記載の綴じ具。
【発明の詳細な説明】
【技術分野】
【０００１】
この発明は、綴じ具に関し、特にたとえば、操作レバーなどの操作部材を操作して書類などの被綴じ物を挟み込んでファイル・バインダー類に綴じるための綴じ具に関する。
【背景技術】
【０００２】
この発明の背景となる従来の綴じ具として、特開平７−２４６７９４号公報、実開昭５１−１０５５１４号公報および特開２００８−１６８４６１号公報には、それぞれ、操作レバーの自由端を捩りばねの弾発力に抗して押し下げることによって、操作レバーに連動する綴じ部材とそれに対向する基板とで被綴じ物を挟み込むものがある（特許文献１、特許文献２および特許文献３）。
特許文献１に開示されている綴じ具では、綴じ部材としての押え板が下方に開放する断面コ字状に形成され、押え板において、捩りばねのコイル側の部分および捩りばねのコイル側の部分とは反対側の部分に、捩りばねの一端部が通されている。さらに、押え板には、捩りばねの両側に、一対の腕または一対のクランクが設けられている。
また、特許文献２に開示されている綴じ具では、綴じ部材としての押止板が断面への字状に形成され、捩りばねの一端部が押止板の上側で支持されている。
さらに、特許文献３に開示されている綴じ具では、綴じ部材が複雑な形状に折り曲げられて形成され、捩りばねの一端部が綴じ部材で支持されている。
【先行技術文献】
【特許文献】
【０００３】
【特許文献１】特開平７−２４６７９４号公報
【特許文献２】実開昭５１−１０５５１４号公報
【特許文献３】特開２００８−１６８４６１号公報
【発明の概要】
【発明が解決しようとする課題】
【０００４】
特許文献１に開示されている綴じ具では、綴じ部材としての断面コ字状の押え板に対して一対の腕や一対のクランクが設けられているので、部品点数が多い。さらに、特許文献１に開示されている綴じ具では、捩りばねの一端部が断面コ字状の押え板において捩りばねのコイル側の部分および捩りばねのコイル側の部分とは反対側の部分に通されているので、押え板において捩りばねのコイル側の部分とは反対側の部分が基板に対して必要以上に浮き上がってしまう場合がある。この場合、押え板で書類などの被綴じ物をうまく押えることができない場合がある。
このような押え板において捩りばねのコイル側の部分とは反対側の部分が基板に対して必要以上に浮き上がらないようにするために、捩りばねの一端部を押え板において捩りばねのコイル側の部分だけに通した場合、押え板において捩りばねのコイル側の部分とは反対側の部分には、捩りばねによる押え力がほとんどかからなくなってしまう。そこで、この場合、綴じ具の押え板において捩りばねのコイル側の部分とは反対側の部分が、一対の腕や一対のクランクによって、基板に近づくように下げられている。ところが、このような綴じ具では、操作レバーを押し下げた場合、捩りばねと一対の腕や一対のクランクとによって押え板を下げようとするが、最初に、一対の腕や一対のクランクによって押え板において捩りばねのコイル側の部分とは反対側の部分が基板に接近するように下げられ、その後に、捩りばねによって一対の腕や一対のクランクを撓ませて押え板において捩りばねのコイル側の部分が基板に接近するように下げられるので、実際には、捩りばねによって一対の腕や一対のクランクを撓ませる力が必要であって、押え板で書類などの被綴じ物を押えるための力をロスしてしまう。
また、特許文献２に開示されている綴じ具では、捩りばねの一端部を押止板の上側で支持するために別の部品が用いられるため、部品点数が多い。
さらに、特許文献２に開示されている綴じ具では、綴じ部材としての押止板が断面への字状に形成され、押止板がその一端側部分とその他端側部分とで基板に対向するので、操作レバーを押し下げた場合、押止板を捩りばねで上から押えるが、押止板の一端側部分と他端側部分とに捩りばねの力が分散されてしまう。
さらに、特許文献３に開示されている綴じ具では、綴じ部材に対して一対の腕や一対のクランクが設けられていないが、捩りばねの一端部を支持するために、綴じ部材が複雑に折り曲げられているので、製造が困難である。
【０００５】
それゆえに、この発明の主たる目的は、綴じ部材に腕やクランクが不要であり、綴じ部材の先端部に付勢部材の一部による力が集中しやすく、しかも、製造しやすい、綴じ具を提供することである。
【課題を解決するための手段】
【０００６】
この発明にかかる綴じ具は、被綴じ物を押圧して保持する押圧部を有する綴じ部材と、前記綴じ部材が、被綴じ物を押圧するロック状態とロックを解除する状態とに移動するように操作するために設けられた操作部材と、前記綴じ部材及び／又は操作部材を設ける台部材と、被綴じ物を押圧する方向に綴じ部材を付勢する付勢部材とを含む綴じ具であって、前記綴じ部材は、被綴じ物を押圧するホールド状態と被綴じ物より離れるオープン状態とに回動するための枢軸部を備え、前記付勢部材は、その一部分が綴じ部材の押圧部に向かってのびて、綴じ部材を枢軸部を中心として被綴じ物を押圧するホールド状態と被綴じ物より離れるオープン状態とに回動するように作動させるとともに綴じ部材をホールド状態から被綴じ物より離れるオープン状態に移動するときに前記枢軸部ののびる方向にスライドするように作動させるように構成された、綴じ具である。
この発明の請求項２にかかる綴じ具は、次のように構成されている。
前記綴じ部材は、その全体がほぼアーチ状に形成され、その一端側部分に前記押圧部が下方に向かってのびるように形成され、その他端側部分に一対の枢軸部が前記他端側部分に平行にかつ互いに逆方向及び／又は同方向にのびるように形成され、前記一端側部分と前記他端側部分との間に、前記付勢部材の一部分を挿通するための貫通孔が形成され、前記付勢部材の前記一部分は、前記綴じ部材が被綴じ物を押圧するホールド状態から被綴じ物より離れるオープン状態に移動するように前記操作部材を操作したときに、上方向および前記綴じ部材の前記一対の枢軸部がのびる長手方向であって手前側から向こう側に移動するように形成され、前記綴じ部材は、前記一対の枢軸部を回転中心として回転可能に支持されるとともに、前記一対の枢軸部がのびる長手方向であって手前側から向こう側にスライド可能に支持され、前記綴じ部材は、前記付勢部材の前記一部分が前記上方向に移動するときに、前記一対の枢軸部を回転中心として回転し、前記付勢部材の前記一部分が前記長手方向であって手前側から向こう側に移動するときに、前記一対の枢軸部がのびる方向にスライドするように構成された、請求項１に記載の綴じ具である。
この発明の請求項３にかかる綴じ具は、次のように構成されている。
前記付勢部材は、綴じ部材の押圧部に向かってのびた一部分が、綴じ部材の枢軸部がのびる長手方向と交差する方向における綴じ部材の中央より被綴じ物を押圧する側において、綴じ部材に緩挿された、請求項１又は請求項２に記載の綴じ具である。
【発明の効果】
【０００７】
この発明にかかる綴じ具は、被綴じ物を押圧して保持する押圧部を有する綴じ部材と、前記綴じ部材が、被綴じ物を押圧するロック状態とロックを解除する状態とに移動するように操作するために設けられた操作部材と、前記綴じ部材及び／又は操作部材を設ける台部材と、被綴じ物を押圧する方向に綴じ部材を付勢する付勢部材とを含む綴じ具であって、前記綴じ部材は、被綴じ物を押圧するホールド状態と被綴じ物より離れるオープン状態とに回動するための枢軸部を備え、前記付勢部材は、その一部分が綴じ部材の押圧部に向かってのびて、綴じ部材を枢軸部を中心として被綴じ物を押圧するホールド状態と被綴じ物より離れるオープン状態とに回動するように作動させるとともに綴じ部材をホールド状態から被綴じ物より離れるオープン状態に移動するときに前記枢軸部ののびる方向にスライドするように作動させるように構成されているので、綴じ部材に付勢部材の一部分を固定するとき、別に嵌挿して固定するように構成しても、小さい孔ですみ、綴じ部材に腕やクランクが不要であり、部品数を減らすことができ、組み立て及び加工精度のバラつきを無くすことができる。そのため、全体的にガタの発生が少なく、綴じ部材にかける力のロスを減らすことができ、綴じ部材の先端部に付勢部材の一部による力を集中させることができ、綴じ部材は、加工しやすく製造しやすい。
【０００８】
この発明の請求項２にかかる発明によれば、前記綴じ部材は、その全体がほぼアーチ状に形成され、その一端側部分に前記押圧部が下方に向かってのびるように形成され、その他端側部分に一対の枢軸部が前記他端側部分に平行にかつ互いに逆方向及び／又は同方向にのびるように形成され、前記一端側部分と前記他端側部分との間に、前記付勢部材の一部分を挿通するための貫通孔が形成され、前記付勢部材の前記一部分は、前記綴じ部材が被綴じ物を押圧するホールド状態から被綴じ物より離れるオープン状態に移動するように前記操作部材を操作したときに、上方向および前記綴じ部材の前記一対の枢軸部がのびる長手方向であって手前側から向こう側に移動するように形成され、前記綴じ部材は、前記一対の枢軸部を回転中心として回転可能に支持されるとともに、前記一対の枢軸部がのびる長手方向であって手前側から向こう側にスライド可能に支持され、前記綴じ部材は、前記付勢部材の前記一部分が前記上方向に移動するときに、前記一対の枢軸部を回転中心として回転し、前記付勢部材の前記一部分が前記長手方向であって手前側から向こう側に移動するときに、前記一対の枢軸部がのびる方向にスライドするように構成されているので、綴じ部材に腕やクランクなどの別部品が不要であり、部品数を減らすことができ、組み立て及び加工精度のバラつきを無くすことができる。全体的にガタの発生が少なく、綴じ部材にかける力のロスを減らすことができ、綴じ部材の先端部に付勢部材の一部による力が集中しやすく、しかも、製造しやすい、綴じ具が得られる。
【０００９】
この発明の請求項３にかかる発明によれば、綴じ部材に腕やクランクなどの別部品が不要であり、しかも、製造しやすい、綴じ具が得られる。
【００１０】
この発明の上述の目的、その他の目的、特徴および利点は、図面を参照して行う以下の発明を実施するための形態の説明から一層明らかとなろう。
この発明の説明において、ファイルの表紙に取り付けられた綴じ具における手前側は前側といい、向こう側は後側といい、手前側から向こう側に至る方向は長手方向といい、前記長手方向と交差する方向は幅方向といい、前記長手方向（前後軸）と幅方向（左右軸）と交差する上下軸の方向は上方向、下方向及び上下方向又は高さ方向といい、前記上方向、下方向及び上下方向における上は上側といい、前記上方向、下方向及び上下方向における下は下側という（図１７参照）。
【図面の簡単な説明】
【００１１】
【図１】この発明の一実施の形態である綴じ具を示す斜視図である。
【図２】この綴じ具を閉じた状態を示す斜視図である。
【図３】図１に示す綴じ具の操作部材固定部及びばね部材の近傍を表わした平面図解図である。
【図４】図１に示す綴じ具の操作部材固定部及びばね部材の近傍を表わした斜視図解図である。
【図５】図１に示す綴じ具のばね部材及び軸を示す平面図解図である。
【図６Ａ】綴じ具を閉じた状態を示す正面図解図である。
【図６Ｂ】綴じ具を開いた状態を示す正面図解図である。
【図７Ａ】綴じ具を閉じた状態を示す側面図解図である。
【図７Ｂ】綴じ具を少し開いた状態を示す側面図解図である。
【図７Ｃ】綴じ具をさらに開いた状態を示す側面図解図である。
【図７Ｄ】綴じ具をいっぱい開いた状態を示す側面図解図である。
【図８】図１に示す綴じ具の分解斜視図である。
【図９Ａ】綴じ部材の正面図解図である。
【図９Ｂ】綴じ部材の横断面図解図である。
【図９Ｃ】綴じ部材の横断面図解図である。
【図９Ｄ】綴じ部材の枢支部との関係を示す平面図解図である。
【図１０】図１に示す綴じ具の綴じ部材及びばね部材の作動状態を示す図解図である。
【図１１】図１に示す綴じ具で少ない書類を綴じたときの押圧部の状態を示す図解図である。
【図１２】図１に示す綴じ具で多い書類を綴じたときの押圧部の状態を示す図解図である。
【図１３】図１に示す綴じ具の変形例たる綴じ具の綴じ部材及びばね部材の平面図解図である。
【図１４】図１に示す綴じ具の変形例たる綴じ具の正面図解図である。
【図１５Ａ】図１に示す綴じ具の変形例たる綴じ具の平面図解図である。
【図１５Ｂ】図１に示す綴じ具の変形例たる綴じ具の側面図解図である。
【図１５Ｃ】図１に示す綴じ具の変形例たる操作部材固定部及びばね部材の近傍を表わした平面図解図である。
【図１５Ｄ】図１に示す綴じ具の変形例たるばね部材の図解図である。
【図１５Ｅ】図１に示す綴じ具の変形例たる綴じ具の分解斜視図解図である。
【図１５Ｆ】図１に示す綴じ具の変形例たる綴じ具の綴じ部材の正面図解図である。
【図１６】図１に示す綴じ具の綴じ部材の変形例を示す平面図解図である。
【図１７】綴じ部材の変形例の図解図であり、（Ａ）は正面図解図であり、（Ｂ）（Ｃ）は横断面図解図である。
【図１８】綴じ部材の変形例の図解図であり、（Ａ）は正面図解図であり、（Ｂ）（Ｃ）は横断面図解図である。
【図１９】図１に示す綴じ具の使用状態を示す斜視図解図である。
【発明を実施するための形態】
【００１２】
図１は、この発明の一実施の形態である綴じ具を示す斜視図であり、図２はこの綴じ具を閉じた状態を示す斜視図であり、図３は、図１に示す綴じ具の操作部材固定部及びばね部材の近傍を表わした平面図解図であり、図４は、図１に示す綴じ具の操作部材固定部及びばね部材の近傍を表わした斜視図解図であり、図５は、図１に示す綴じ具のばね部綴じ具を閉じた状態を示す正面図解図であり、図６Ａは、綴じ具を閉じた状態を示す正面図解図であり、図６Ｂは、綴じ具を開いた状態を示す正面図解図であり、図７Ａは、綴じ具を閉じた状態を示す側面図解図であり、図７Ｂは、綴じ具を少し開いた状態を示す側面図解図であり、図７Ｃは、綴じ具をさらに開いた状態を示す側面図解図であり、図７Ｄは、綴じ具をいっぱい開いた状態を示す側面図解図であり、図８は、図１に示す綴じ具の分解斜視図である。
綴じ具２０は、板状の台部材たる基板２２と、前記台部材上において被綴じ物Ｘを押圧して保持する押圧部を有する綴じ部材７０と、前記台部材上において、綴じ部材７０が被綴じ物Ｘを押圧するホールド状態と被綴じ物より離れるオープン状態とに移動（開閉）可能にするように、その固定部において台部材に固定された操作部材たる操作レバー６０と、前記台部材上に装着され、前記操作レバー６０に連結されるとともに綴じ部材７０に連結され、被綴じ物Ｘを押圧する方向に綴じ部材７０を付勢する付勢部材たるばね部材５０とを含む。
【００１３】
前記綴じ部材７０は、被綴じ物Ｘを押圧するホールド状態と被綴じ物より離れるオープン状態とに開閉するように回動するための枢軸部７２を備え、前記付勢部材たるばね部材５０は、その一部分（第１端部５０ｃ）が綴じ部材７０の押圧部７６に向かってのびて、綴じ部材７０を枢軸部７２を中心として被綴じ物Ｘを押圧するホールド状態と被綴じ物より離れるオープン状態とに回動するように作動させるとともに綴じ部材７０を被綴じ物Ｘを押圧するホールド状態から被綴じ物Ｘより離れるオープン状態に回動するときに前記枢軸部７２ののびる方向にスライドさせるように作動させるように、綴じ部材７０に緩挿されている。
【００１４】
綴じ具２０は、金属製薄板によって形成される台部材を構成する板状本体たる基板２２を含む。基板２２の幅方向の一端部（左端部）における直線状長手端縁に操作部材固定部を構成する軸受部を備え、軸受部は、図８に示すように、基板２２に対して直立する起立面部を有する軸受板２４が一体的に形成されてなる。軸受板２４は、基板２２の長手方向の手前側端縁より向こう側端縁近傍に至るまで連続して形成される。
軸受板２４の長手方向の一端側（向こう側）には、操作部材固定部を構成する円形の枢軸固定用貫通孔２６が形成されている。
枢軸固定用貫通孔２６は、軸受板２４の枢軸固定用貫通孔２６の周辺が、操作レバー６０の軸受板２４の起立面部と操作レバー６０を軸受板２４に固定する軸４６の軸方向とが斜交するように、向こう側が外に（操作レバー６０が取り付けられる面とは反対側に）突き出し、手前側が内に（操作レバー６０が取り付けられる面側に）突き出して、操作レバー６０の軸受板２４の起立面部とは傾斜して形成されている。
【００１５】
軸受板２４の長手方向の他端側（手前側）には、後述の操作レバー６０を、綴じ部材７０を被綴じ物Ｘを押圧するホールド状態とするときに固定するためのロック用固定部を構成する固定用凸部２８が形成される。固定用凸部２８は、たとえば軸受板２４に四角形の貫通する孔を形成し、孔の上方部分を基板２２側に押し出すことにより形成され、その頂部は、綴じ部材７０を被綴じ物Ｘを押圧するホールド状態から被綴じ物Ｘより離れるオープン状態にするときに、操作レバー６０の係止貫通孔６６が滑って操作レバー６０を案内するように、操作レバー６０が滑り下がる方向に続く突起状に形成されて案内部を構成している。
【００１６】
軸受板２４の枢軸固定用貫通孔２６形成部の向こう側近傍において、軸受板２４と適宜な間隔を隔てて基板２２の長手方向の一端側の角部が切り起こされ、綴じ部材７０を枢支する第１枢支部３０が形成される。第１枢支部３０の主面は、軸受板２４の主面と直交するように形成される。この第１枢支部３０には、円形の枢支貫通孔３２が形成される。
さらに、固定用凸部２８の手前側近傍において、綴じ部材７０を枢支するために、第１枢支部３０の主面に平行な面を有する別の第２枢支部３４が形成される。第２枢支部３４は、基板２２にＵ字状の切り込みを形成し、この部分を切り起こすことにより形成される。この第２枢支部３４には、円形の枢支貫通孔３６が形成される。
枢支貫通孔３２と枢支貫通孔３６とは、基板２２の上面から均等な高さに形成されている。
これらの第１枢支部３０と第２枢支部３４とは、対向し、その枢支貫通孔３２と枢支貫通孔３６とを結ぶ線が、軸受板２４の基板２２側の主面に平行となるように配置され、綴じ部材７０の回転軸となる。
【００１７】
さらに、これらの第１枢支部３０と第２枢支部３４の間であって、第１枢支部３０の枢支貫通孔３２と第２枢支部３４の枢支貫通孔３６とを結ぶ線より軸受板２４から離れる側において、軸受板２４の面と平行な面を有する軸受部３８が形成される。この軸受部３８は、基板２２にＵ字状の切り込みを形成し、この部分を切り起こすことにより形成され、軸受板２４に対してその全体が、操作レバー６０の軸受部たる軸受板２４の起立面部と斜交するように形成されている。すなわち、操作レバー６０を軸受板２４に固定する軸４６の軸方向が操作レバー６０の軸受部たる軸受板２４の起立面部と斜交し、枢軸固定用貫通孔２６の周辺と平行になるように形成されている。
この軸受部３８には、円形の貫通孔４０が形成され、軸受板２４の枢軸固定用貫通孔２６と軸受部３８の貫通孔４０とが対向するように配置される。すなわち、第１枢支部３０の枢支貫通孔３２と第２枢支部３４の枢支貫通孔３６とを結ぶ線と、軸受板２４の枢軸固定用貫通孔２６と軸受部３８の貫通孔４０とを結ぶ線とが、互いに斜交するように形成される。
【００１８】
また、基板２２の幅方向の他端側（右端部）には、２条の凸条４２ａ及び凸条４２ｂが形成される。これらの凸条４２ａ及び凸条４２ｂは、基板２２の幅方向において適宜な距離をあけて平行に形成される。そして、基板２２の長手方向の両側には、綴じ具２０をファイルなどに取り付けるための基板固定用貫通孔４４が向こう側と手前側とに一対形成され、基板固定用貫通孔４４に鋲を嵌装して綴じ具２０がファイルなどに取り付けられる。
【００１９】
軸受板２４の枢軸固定用貫通孔２６と軸受部３８の貫通孔４０には、軸４６が挿通され、軸４６に捩りコイルばねからなるばね部材５０および操作部材たる操作レバー６０が取り付けられる。
ばね部材５０は、軸４６の外周に巻装された巻線部５０ａと、前記巻線部５０ａの一端（右端部）から綴じ部材７０側に延びる第１端部５０ｃと、前記巻線部５０ａの軸受板２４側の他端（左端部）から操作レバー６０側に直線状に延びる第２端部５０ｂとを有している。
軸４６及びばね部材５０の巻線部５０ａは、軸受板２４と斜交するように、軸受板２４及び軸受部３８の間に架け渡される。
前記付勢部材たるばね部材５０の前記一部分（第１端部５０ｃ）は、前記綴じ部材７０が被綴じ物Ｘを押圧するホールド状態から被綴じ物より離れるオープン状態に開閉移動するように前記操作部材たる操作レバー６０を操作した場合に、上方向すなわち、軸受板２４が立ち上がる方向および前記綴じ部材７０の前記一対の枢軸部７２がのびる基板２２の長手方向に移動するように形成されている。
前記ばね部材５０は、その一部分（第１端部５０ｃ）が綴じ部材７０の押圧部７６に向かってのびて、綴じ部材７０が被綴じ物Ｘを押圧するホールド状態と被綴じ物より離れるオープン状態とに開閉するために枢軸部７２を中心として回動するように作動させるとともに綴じ部材７０を前記枢軸部７２ののびる方向にスライドするように作動させるように構成されている。
【００２０】
ばね部材５０の第２端部５０ｂは、巻線部５０ａの軸受板２４側でその後側の上端より手前側に直線状に延び、その先端が外力を受けないときは、その先端が手前側に斜め上方に向けて延びるように形成されている。
第１端部５０ｃは、巻線部５０ａの軸受部３８側でその手前側の下端より軸受板２４とは反対側に延びた立ち上がり部５０ｄを備え、外力を受けないときは略Ｌ字状となるように、上方に延びた立ち上がり部５０ｄの上端から斜め上方に架け渡し部５０ｅが延び、架け渡し部５０ｅの自由端側に水平方向に屈曲した係止部５０ｆが突設されている。
前記外力が作用しない第１端部５０ｃと外力が作用しない第２端部５０ｂ（特に立ち上がり部５０ｂ）とは、巻線部５０ａからその先端に向かうに従って、それぞれが離れ拡がる方向に向けて延びる略八の字状に形成されている。
【００２１】
基板２２は、軸４６の一端を軸支する軸固定部たる軸受板２４と、前記軸受板２４の枢軸固定用貫通孔２６より向こう側にわずかにずれた位置に形成され、軸４６の他端を軸支する軸固定部たる軸受部３８とを有する。
軸受板２４の枢軸固定用貫通孔２６と軸受部３８の貫通孔４０とに架け渡されて固定された軸４６は、その綴じ部材７０側である軸受部３８側の方が、軸４６の軸受板２４側を中心にして操作レバー６０の自由端より離れる方向に水平面上において回転した位置において、軸受部３８の貫通孔４０に固定されている。
ばね部材５０は、軸固定部たる軸受板２４と軸受部３８との間において、巻線部５０ａが軸４６の軸回りにおいて基板２２と略平行に装着され、前記外力が作用しない第２端部５０ｂは、軸受板２４の内側に沿って基板２２の長手方向に伸び、操作レバー６０の長手方向と略平行に操作レバー６０に固定されている。
すなわち、前記外力が作用しない第２端部５０ｂは、被綴じ物Ｘを押圧するホールド状態と被綴じ物より離れるオープン状態とにするためにロック状態からロックを解除するように操作レバー６０を回動させる方向、すなわち操作レバー６０が回動する軌道面に沿って、操作レバー６０に固定されている。したがって、ばね部材５０は、不用な干渉なくスムーズに動くことができ、操作レバー６０の上昇及び下降等の動きもスムーズになる。
【００２２】
操作レバー６０を回動して綴じ部材７０が被綴じ物Ｘを押圧するホールド状態にするとき及び被綴じ物より離れるオープン状態にするときすなわち開閉するときに、ばね部材５０の第１端部５０ｃが回動するが、巻線部５０ａは、それに対応して縮まったり緩んだりするために、巻線部５０ａの内径は、若干軸４６の外径との間に隙間が設けられるように構成されている。そして、巻線部５０ａは、軸４６の外周面上に巻装されている。
すなわち、巻線部５０ａは、操作レバー６０の長手方向とは斜めに交差するように第２端部５０ｂ側から第１端部５０ｃ側に向けて延び、ばね部材５０の第１端部５０ｃの側が、第２端部５０ｂの側より向こう側の位置において、基板２２に固定されている。
ばね部材５０に外力が作用しないとき、第２端部５０ｂは、操作レバー６０の自由端を軸４６を枢軸部として押し上げるように形成され、第１端部５０ｃは、綴じ部材７０を基板２２の表面に接近するように形成されている。
ばね部材５０は、第２端部５０ｂが操作レバー６０の長手方向と略平行に操作レバー６０に固定されているので、操作レバー６０を倒伏位置に向けて押し下げるとき、軸受板２４と略平行な方向すなわち垂直方向に向けて押し下げ、軸受板２４に形成された固定部たる固定用凸部２８に係止させることができる。
【００２３】
操作レバー６０は、金属板などによって長尺状に形成され、その強度を高めるために、横断面略Ｌ字状または横断面略Ｕ字状に形成され、軸受板２４側の第１垂直側壁６０ａと、第１垂直側壁６０ａと一定の間隔をおいて平行に形成された第２垂直側壁６０ｂとを備える。
操作レバー６０の長手方向の一端側（向こう側）における第１垂直側壁６０ａには、円形のレバー貫通孔６２が形成される。そして、軸４６が、操作レバー６０のレバー貫通孔６２と第１垂直側壁６０ａの内側に配設されたばね部材５０の巻線部５０ａとに挿通するようにして、軸受板２４および軸受部３８に取り付けられる。
ばね部材５０の第２端部５０ｂは、操作レバー６０の内側に沿って配置され、操作レバー６０の第１垂直側壁６０ａの一部を内側に折り曲げた折曲片６４によって固定される。
さらに、操作レバー６０の第１垂直側壁６０ａには、操作レバー６０を枢支する軸４６を取り付けるレバー貫通孔６２とは操作レバー６０の自由端側（手前側）に離れた位置において、軸受板２４の固定用凸部２８に対応する位置に矩形の係止貫通孔６６が形成され、綴じ部材７０が被綴じ物Ｘを押圧するホールド状態を維持するために操作レバー６０をロックするロック用係止部６８が内方に向けて突き出し形成されている。この係止貫通孔６６に固定用凸部２８が嵌め込まれ、係止貫通孔６６の下縁６６ｂ（ロック用係止部６８の上縁）が固定用凸部２８の下部に係止されることにより、操作レバー６０が、軸受板２４に、綴じ部材７０が被綴じ物Ｘを押圧するホールド状態を維持するために、ロック固定される。
【００２４】
前記操作レバー６０は、綴じ部材７０が被綴じ物Ｘを押圧するホールド状態を維持するために操作レバー６０をロックするロック用固定部が、係止貫通孔６６の孔縁であって、綴じ部材７０が被綴じ物Ｘを押圧するホールド状態を維持するためにばね部材５０により付勢されて操作部材固定部たる固定用凸部２８に係止される係止貫通孔６６の下縁６６ｂに形成され、綴じ部材７０が被綴じ物Ｘを押圧するホールド状態から被綴じ物Ｘより離れるオープン状態にするようにロックを解除するために案内する案内部が、係止貫通孔６６の孔縁であって、綴じ部材７０が被綴じ物Ｘを押圧するロックを解除する方向とは反対側の係止貫通孔６６の上縁６６ａに形成される。
係止貫通孔６６は、下縁６６ｂの近傍が操作レバー６０を固定用凸部２８から外す方向に向けて突き出され、上縁６６ａと下縁６６ｂとが横方向において、その位置がずれている。すなわち、下縁６６ｂは、綴じ部材７０が被綴じ物Ｘを押圧するホールド状態から被綴じ物Ｘより離れるオープン状態にするために操作レバー６０の係止を解除するとき、操作レバー６０の係止貫通孔６６を固定用凸部２８から外す方向に向いて、その位置がはずれており、下縁６６ｂは、上縁６６ａから、操作レバー６０の係止貫通孔６６を固定用凸部２８から外す方向に向けてずれている。
上縁６６ａの位置から下縁６６ｂがずれる距離は、係止貫通孔６６の固定用凸部２８から係止（綴じ部材７０が被綴じ物Ｘを押圧するホールド状態を維持する）を解除（操作レバー６０のロックを解除）するときに、係止貫通孔６６の上縁６６ａを固定用凸部２８の最頂部に接しながら滑り降ろして、斜め方向に移動させて固定用凸部２８の最も内縁部（軸受板２４の起立面部より離れる側）よりわずかに外れる方向に移動したとき、斜め下方向に降ろす力を解除すれば、ばね部材５０の弾発力により係止貫通孔６６の下縁６６ｂが固定用凸部２８の内側（軸受板２４の起立面部より離れる側）先端に引っ掛ることなく、操作レバー６０が上昇するように設定されている。
【００２５】
また、操作レバー６０の長手方向の他端側（手前側）は、幅広の操作部６０ｃが形成され、指で操作しやすくなっている。
固定用凸部２８は、操作レバー６０の第１垂直側壁６０ａ及び第２垂直側壁６０ｂが基板２２の表面に達する前に、操作レバー６０の係止貫通孔６６から外れる幅を有している。
なお、操作レバー６０の第１垂直側壁６０ａの高さを比較的高くすれば、操作レバー６０の係止を解除するときの移動距離を長くとることができ、操作性を増すことができる。
【００２６】
前記操作レバー６０は、軸受板２４に固定する部位である固定部たる第１垂直側壁６０ａを備えており、軸受板２４は、前記操作レバー６０の第１垂直側壁６０ａと接して操作レバー６０を固定する部位である操作部材固定部たる枢軸固定用貫通孔２６を形成されている。
なお、軸４６の固定部たる枢軸固定用貫通孔２６の周辺は、操作レバー６０側に向けて半円環状に打ち出し膨出されたスペーサーが形成されてもよい。そのようにすれば、スペーサーの突出分だけ軸受板２４の内面と操作レバー６０の第１垂直側壁６０ａの外面との間に間隔があき、操作レバー６０のロックを解除して、綴じ部材７０が被綴じ物Ｘを押圧するホールド状態と被綴じ物より離れるオープン状態とに開閉するために回動させるとき、ばね部材５０の不要な力が操作レバー６０にかかることなく操作レバー６０が軸受板２４に擦れることがない。
この実施の形態においては、スペーサーが軸受板２４に形成されていないが、スペーサーは、操作レバー６０側に形成してもよく、また軸受板２４と操作レバー６０の両方に形成してもよい。例えば、操作レバー６０の第１垂直側壁６０ａの周辺を、軸受板２４側に向けて円環状に膨出されたスペーサーを形成するようにしてもよい。
【００２７】
さらに、基板２２上には、平面視略長方形状の綴じ部材７０が、基板２２の長手方向に延びて軸受板２４と平行に取り付けられ、軸受板２４とは反対側の綴じ部材７０の長手端縁が基板２２の表面に接近離間するように形成される。綴じ部材７０は、たとえば１枚の金属板によって形成される。綴じ部材７０は、たとえば第１枢支部３０と第２枢支部３４との距離より短い長さを有し、幅方向において上方に向けて膨らむように屈曲する形状（断面略Ｌ字状）に形成される。
そして、綴じ部材７０の幅方向の軸受板２４側において、その長手方向の両側に突出する枢軸部７２が形成される。これらの枢軸部７２が、枢軸部受けたる第１枢支部３０の枢支貫通孔３２および枢軸部受けたる第２枢支部３４の枢支貫通孔３６に嵌め込まれる。手前側の第２枢支部３４の枢支貫通孔３６は、向こう側の第１枢支部３０の枢支貫通孔３２と、基板２２からの高さが同一になるように形成され、向こう側の枢支貫通孔３２に枢支された綴じ部材７０の向こう側の第１枢軸７２ａと、手前側の枢支貫通孔３６に枢支された綴じ部材７０の手前側の第２枢軸７２ｂと同一の高さ位置で枢支されている。
【００２８】
したがって、綴じ部材７０は、２つの枢軸部７２を結ぶ線を回転中心として回動可能となっている。
軸受板２４と枢軸部７２との間において、操作レバー６０は、軸受板２４及び第１枢軸７２ａと第２枢軸７２ｂとを結ぶ線に沿って伸びる。
そして、操作レバー６０の手前側の自由端を押さえてロック用係止部６８を固定用凸部２８に係止して操作レバー６０をロックするとき、綴じ部材７０の手前側の第２枢軸７２ｂと向こう側の第１枢軸７２ａとが同一の高さに位置するので、ばね部材５０の係止部５０ｆが綴じ部材７０の架け渡し部７０ｂを押える位置（綴じ部材７０の長手方向における中央近傍）との関係上同時に被綴じ物Ｘを押さえ始めて、被綴じ物Ｘにかかる押える力のバランスが向こう側と手前側と均等となる。
【００２９】
なお、枢軸部７２の強度を高め、枢支貫通孔３２，３６内で枢軸部７２が回転しやすいように、枢軸部７２は幅方向に屈曲するように形成される。このように、綴じ部材７０から突出する枢軸部７２を第１枢支部３０，３４の枢支貫通孔３２，３６に嵌め込むことにより、別部品たる回転軸などを用いて綴じ部材７０を回動可能に保持する場合に比べて、部品数を少なくすることができる。
【００３０】
綴じ部材７０は、図６ないし９において示すように、枢軸部７２側より軸受板２４とは反対側の斜め上方に延びた立ち上がり部７０ａと、立ち上がり部７０ａの上端から斜め下方（水平面に対して略２２°）に向けて延びた平板状の架け渡し部７０ｂと、架け渡し部７０ｂの自由端に、綴じ部材７０の手前側端縁より向こう側端縁に亘って斜め下方（垂直面に対して略１５°）に向けて折り曲げられて形成された押圧部７６とが形成されている。押圧部７６は、書類などの被綴じ物Ｘを押えるときに、架け渡し部７０ｂ側に若干撓みつつ押圧部７６が書類などの被綴じ物Ｘを押圧し得るように形成されている。
【００３１】
押圧部７６は、架け渡し部７０ｂの手前側端縁より向こう側端縁に至るまで連続して形成される。押圧部７６は、その自由端に形成された被綴じ物Ｘに接地する接地領域が向こう側の接地部７６ａと手前側の接地部７６ｂとに分かれており、向こう側の接地部７６ａと手前側の接地部７６ｂとは略々同じ接地面積となるように形成されている。
綴じ部材７０の立ち上がり部７０ａは、操作レバー６０を固定用凸部２８から外すことができるスペースを確保するように、軸受板２４との間が上方に向かうに従って拡がる傾斜面（垂直面に対して略４５°傾斜した面）が形成されている。
【００３２】
前記綴じ部材７０は、その全体が平面視略長方形状で正面視略々アーチ状にわん曲した板状体に形成されており、幅方向におけるその一端側部分に前記押圧部７６が下方に向かってのびるように形成され、幅方向におけるその他端側部分（軸受板２４側部分）に一対の枢軸部７２が前記他端側部分に平行にかつ互いに逆方向にのびるように形成されている。押圧部７６は、基板２２の長手方向にのび、枢軸部７２は、基板２２の長手方向にのびる。綴じ部材７０は、幅方向において、前記一端側部分および前記他端側部分間の中央部分と前記一端側部分との間に、前記付勢部材たるばね部材５０の一部分（第１端部５０ｃ）を挿通するための貫通孔７８が形成されている。
【００３３】
立ち上がり部７０ａは、綴じ部材７０の長手方向（手前側端から向こう側端に至る方向）における中央において、一部切り欠かれて、ばね部材収容部７０ａ１が形成されている。
架け渡し部７０ｂは、ばね部材収容部７０ａ１に臨む領域において、下向き（下方向）に凹まされて、ばね部材５０の第１端部５０ｃを嵌め込むためのばね部材固定部７４が形成されている。
【００３４】
ばね部材５０は、第１端部５０ｃが綴じ部材７０の内面に近似した形状に形成され、ばね部材５０の立ち上がり部５０ｄが綴じ部材７０の立ち上がり部７０ａに沿って立ち上がり、そしてばね部材５０の架け渡し部５０ｅが綴じ部材７０のばね部材固定部７４に沿ってのびて、ばね部材５０の係止部５０ｆが綴じ部材７０の内面側に係止固定されるように設けられている。
【００３５】
ばね部材固定部７４には、扇形、矩形、半円又は円形の貫通孔７８が形成され、ばね部材５０の第１端部５０ｃがばね部材収容部７０ａ１側より緩挿され、ばね部材５０の第１端部５０ｃの先端部（係止部５０ｆ）が折り曲げられて貫通孔７８から外れないようにされている。
貫通孔７８は、ばね部材５０の第１端部５０ｃの外形より少し大きい大きさで、ばね部材５０の第１端部５０ｃを緩挿できる形状に形成されており、ばね部材５０が貫通孔７８の中で若干動くことができる隙間をあけるように構成されている。
【００３６】
この実施の形態においては、綴じ部材７０は、幅方向における中央ｃより軸受板２４側に立ち上がり部７０ａと架け渡し部７０ｂとが接続された頂部ｔが形成され、前記頂部ｔより押圧部７６側にばね部材固定部７４が形成され、ばね部材固定部７４の高さ方向（上下方向）において略々中央において貫通孔７８が穿設されている（図９（Ｂ）参照）。
貫通孔７８は、その下縁ｅが頂部ｔより下方であって枢軸部７２より上方において形成されている。
押圧部７６は、枢軸部７２より高さ方向（上下方向）において下方に形成されている（図９（Ｃ）参照）。
貫通孔７８は、綴じ部材７０の前後端に形成された枢軸部７２の間（第１枢軸７２ａと第２枢軸７２ｂとの間）において、綴じ部材７０の長手方向における中央近傍であって、軸４６に巻装された巻線部５０ａに近い位置に形成されている。
さらに、押圧部７６には、書類などの被綴じ物Ｘを押さえ付けたときの力による変形を防ぐために、直線状のリブ８０が長手方向に連続して形成され、架け渡し部７０ｂにも、書類などの被綴じ物Ｘを押さえ付けたときの力による変形を防ぐために、２条の直線状のリブが長手方向に連続して形成されている。
【００３７】
ばね部材５０は、図７Ａにおいて示すように、綴じ具２０を閉じた状態においては、立ち上がり部５０ｄが水平に近い方向を向いて、係止部５０ｆが下方を向いている。
ばね部材５０は、図７Ｂにおいて示すように、綴じ具２０を少し開いた状態においては、立ち上がり部５０ｄの手前側がやや上昇して立ち上がり部５０ｄが斜め上方を向いて、係止部５０ｆがやや下方を向いている。
ばね部材５０は、図７Ｃにおいて示すように、綴じ具２０をさらに開いた状態（操作レバー６０が垂直に立ったとき）においては、立ち上がり部５０ｄの手前側がさらに上昇して、係止部５０ｆが向こう側に向いて回転してほぼ水平に近い方向を向いている。
ばね部材５０は、図７Ｄにおいて示すように、綴じ具２０をいっぱいに開いた状態においては、立ち上がり部５０ｄが垂直方向を向いて、係止部５０ｆが向こう側に向いて回転してほぼ水平に近い状態に向いている。
【００３８】
前記綴じ部材７０は、前記一対の枢軸部７２を回転中心として回転可能に支持されるとともに、前記一対の枢軸部７２（向こう側の第１枢軸７２ａ及び手前側の第２枢軸７２ｂ）がのびる基板２２の長手方向にスライド可能に支持され、前記綴じ部材７０は、前記ばね部材５０の前記一部分（第１端部５０ｃ）が前記上方向に移動するときに、前記一対の枢軸部７２を回転中心として回転し、前記ばね部材５０の前記一部分（第１端部５０ｃ）が前記基板２２の長手方向に移動するときに、前記一対の枢軸部７２が伸びる方向（向こう側）にスライドする。
向こう側の第１枢軸７２ａは、綴じ部材７０の向こう側端縁より長く向こう側にのび、手前側の第２枢軸７２ｂは、綴じ部材７０の手前側端縁より長く手前側にのびている。
向こう側の第１枢軸７２ａの長さと手前側の第２枢軸７２ｂとの長さは、同一に形成されている。綴じ部材７０は、図９Ｄにおいて示すように、押圧部７６の手前側から向こう側との間の長さＬ３すなわち長手方向の長さが、第１枢支部３０と第２枢支部３４との間の長さＬ１（手前側から向こう側に至る長手方向における長さ）とほぼ同じかより長く形成され、被綴じ物Ｘを綴じるときに押圧する領域を広くとるように構成されている。
綴じ部材７０は、被綴じ物Ｘを押圧するホールド状態にするときと被綴じ物Ｘより離れるオープン状態にするときに、その手前側と向こう側とに移動するための可動域を確保するために、向こう側の第１枢軸７２ａとの間に略Ｕ字状の凹部７２ｃが形成され且つ手前側の第２枢軸７２ｂとの間に略Ｕ字状の凹部７２ｄが形成されており、向こう側の凹部７２ｃと手前側の凹部７２ｄとの間に首部７２ｅが形成され、首部７２ｅの先端（軸受板２４側）に向こう側の第１枢軸７２ａと手前側の第２枢軸７２ｂとが、長手方向に（手前側及び向こう側に向けて）突設されている。
枢軸部７２は、基板２２とのあいだの間隔を同一にするように、向こう側の第１枢軸７２ａと手前側の第２枢軸７２ｂとが、水平に突設されている。
また、第１枢支部３０と第２枢支部３４とは、綴じ部材７０が被綴じ物Ｘを押圧するホールド状態のときに、綴じ部材７０が手前側と向こう側とが基板２２に密着し、且つ、綴じ部材７０が被綴じ物Ｘを押圧するホールド状態にするときと被綴じ物より離れるオープン状態にするために、綴じ部材７０が枢軸部７２を中心として回動したときに、基板２２との間において常に同一の間隔をもって回動するように構成されている。
【００３９】
図９Ｄにおいて示すように、向こう側の凹部７２ｃの手前側端縁と手前側の凹部７２ｄの向こう側端縁との間の長さ（Ｌ２）は、第１枢支部３０と第２枢支部３４との間の長さ（Ｌ１）より短く形成され、綴じ部材７０を長手方向へのスライド可能にするための領域を確保している。
向こう側の第１枢軸７２ａの向こう側の先端と手前側の第２枢軸７２ｂの手前側の先端との間の長さは、第１枢支部３０と第２枢支部３４との間の長さより長くなるように形成され、向こう側に綴じ部材７０がスライド移動して綴じ部材７０の向こう側の凹部７２ｃが第１枢支部３０と突き当たる迄移動したときに、手前側の第２枢軸７２ｂが、第２枢支部３４の枢支貫通孔３６から抜け出ないように形成されるとともに、手前側に綴じ部材７０がスライド移動して綴じ部材７０の手前側の凹部７２ｄが第２枢支部３４と突き当たる迄移動したときに、向こう側の第１枢軸７２ａが第１枢支部３０の枢支貫通孔３２から抜け出ないように形成されている。
【００４０】
第１枢支部３０及び第２枢支部３４は、軸受板２４とは反対側の端縁が、綴じる書類などの被綴じ物Ｘの端縁を揃えるための軸受板２４の面と平行な面を有する、用箋揃え部９０を形成している。
第１枢支部３０及び第２枢支部３４は、軸受板２４とは反対側の端縁が、用箋揃え部９０の軸受板２４とは反対側の表面と同一平面（想像上）上に揃うように形成されている。
したがって、第１枢支部３０及び第２枢支部３４の端縁がガイドとなって、用箋揃え部９０に綴じる書類などの被綴じ物Ｘの端縁を当接させて綴じることができる。
【００４１】
枢軸部７２の下部には、枢軸部７２に荷重がかかったときに枢軸部７２が垂れ下がるのを防ぐための枢軸支持部９２及び枢軸支持部９４が突設されている。
枢軸支持部９２は、第１枢軸７２ａの下方において基板２２を切り起こされてなる突起からなり、枢軸支持部９４は第２枢軸７２ｂの下方において基板２２を切り起こされてなる突起からなる。
【００４２】
このように構成された綴じ具２０は、操作レバー６０の手前側の自由端側を押し下げることにより、綴じ部材７０の長手方向における中央近傍をばね部材５０により押さえ付け、向こう側の第１枢軸７２ａ及び手前側の第２枢軸７２ｂを結ぶ線を回転中心として回動させ、基板２２との間に挟みこまれた被綴じ物Ｘを、向こう側の接地部７６ａと手前側の接地部７６ｂとにより均等に押さえ付けて綴じることができる。
【００４３】
綴じ部材７０の形態としては、図１３及び１４に示すように、ばね部材収容部７０ａ１及びばね部材固定部７４の位置を変えてもよい。
綴じ部材１７０は、図１３及び１４において示すように、枢軸部１７２側より軸受板１２４とは反対側の斜め上方に延びた立ち上がり部１７０ａと、立ち上がり部１７０ａの上端から斜め下方（水平面に対して略２２°）に向けて延びた平板状の架け渡し部１７０ｂと、架け渡し部１７０ｂの自由端には、綴じ部材１７０の手前側端縁より向こう側端縁に亘って斜め下方（垂直面に対して略１５°）に向けて折り曲げられて、押圧部１７６が形成されている。
押圧部１７６は、書類などの被綴じ物Ｘを押えるときに架け渡し部１７０ｂ側に若干撓みつつ書類などの被綴じ物Ｘを押圧し得るように形成されている。
押圧部１７６は、綴じ部材１７０の手前側端縁より向こう側端縁に至るまで連続して形成される。押圧部１７６は、その自由端に形成された被綴じ物Ｘに接地する接地領域が向こう側の接地部１７６ａと手前側の接地部１７６ｂとに分かれており、向こう側の接地部１７６ａと手前側の接地部１７６ｂとが略々同じ接地面積となるように形成されている。
立ち上がり部１７０ａは、綴じ部材１７０の長手方向（手前側端から向こう側端に至る方向）における中央において、一部切り欠かれて、ばね部材収容部１７０ａ１が形成されている。
架け渡し部１７０ｂは、ばね部材収容部１７０ａ１に臨む領域において、架け渡し部１７０ｂが上向きに膨出されて、ばね部材１５０の第１端部１５０ｃを嵌め込むためのばね部材固定部１７４が形成されている。
【００４４】
図１５に示す図１の変形例たる綴じ具２２０は、次のように構成されている。
綴じ具２２０は、軸受板２２４の枢軸固定用貫通孔２２６形成部の向こう側近傍において、軸受板２２４と適宜な間隔を隔てて基板２２２の長手方向の一端側の角部が切り起こされ、綴じ部材２７０を枢支する第１枢支部２３０が形成される。第１枢支部２３０の主面は、軸受板２２４の主面と直交するように形成される。この第１枢支部２３０には、円形の枢支貫通孔２３２が形成される。
さらに、固定用凸部２２８の手前側近傍において、綴じ部材２７０を枢支するために、第１枢支部２３０の主面に平行な面を有する別の第２枢支部２３４が形成される。第２枢支部２３４は、基板２２２にＵ字状の切り込みを形成し、この部分を切り起こすことにより形成される。この第２枢支部２３４には、円形の枢支貫通孔２３６が形成される（図１５（Ｅ）参照）。
これらの第１枢支部２３０と第２枢支部２３４とは、対向し、その枢支貫通孔２３２と枢支貫通孔２３６とを結ぶ線が、軸受板２２４の基板２２２側の主面に平行となるように配置され、綴じ部材２７０の回転軸となる（図１５（Ａ）参照）。
【００４５】
さらに、これらの第１枢支部２３０と第２枢支部２３４の間であって、第１枢支部２３０の枢支貫通孔２３２と第２枢支部２３４の枢支貫通孔２３６とを結ぶ線より軸受板２２４から離れる側において、軸受板２２４の面と平行な面を有する軸受部２３８が形成される。この軸受部２３８は、基板２２２にＵ字状の切り込みを形成し、この部分を切り起こすことにより形成され、軸受板２２４に対してその全体が、操作レバー２６０の軸受部たる軸受板２２４の起立面部と斜交するように形成されている。すなわち、操作レバー２６０を軸受板２２４に固定する軸２４６の軸方向が操作レバー２６０の軸受部たる軸受板２２４の起立面部と斜交し、枢軸固定用貫通孔２２６の周辺と平行になるように形成されている（図１５（Ｅ）参照）。
この軸受部２３８には、円形の枢軸固定用貫通孔２４０が形成され、軸受板２２４の枢軸固定用貫通孔２２６と軸受部２３８の枢軸固定用貫通孔２４０とが対向するように配置される。すなわち、第１枢支部２３０の枢支貫通孔２３２と第２枢支部２３４の枢支貫通孔２３６とを結ぶ線と、軸受板２２４の枢軸固定用貫通孔２２６と軸受部２３８の枢軸固定用貫通孔２４０とを結ぶ線とが、互いに斜交するように形成される（図１５（Ｃ）（Ｄ）参照）。
【００４６】
軸受板２２４の枢軸固定用貫通孔２２６と軸受部２３８の枢軸固定用貫通孔２４０には、軸２４６が挿通され、軸２４６に捩りコイルばねからなるばね部材２５０および操作部材たる操作レバー２６０が取り付けられる（図１５（Ａ）参照）。
ばね部材２５０は、図１５（Ｄ）において示すように、軸２４６の外周に巻装された巻線部２５０ａと、前記巻線部２５０ａの一端（右端部）から綴じ部材２７０側に延びる第１端部２５０ｃと、前記巻線部２５０ａの軸受板２２４側の他端（左端部）から操作レバー２６０側に直線状に延びる第２端部２５０ｂとを有している。
軸２４６及びばね部材２５０の巻線部２５０ａは、軸受板２２４と斜交するように、軸受板２２４及び軸受部２３８の間に架け渡される（図１５（Ｃ）参照）。
【００４７】
ばね部材２５０の第２端部２５０ｂは、巻線部２５０ａの軸受板２２４側でその後側の上端より手前側に直線状に延び、その先端が外力を受けないときは、その先端が手前側に斜め上方に向けて延びるように形成されている。
第１端部２５０ｃは、巻線部２５０ａの軸受部２３８側でその手前側の下端より軸受板２２４とは反対側に延びた立ち上がり部２５０ｄを備え、外力を受けないときは略Ｌ字状となるように、上方に延びた立ち上がり部２５０ｄの上端から斜め上方に架け渡し部２５０ｅが延び、架け渡し部２５０ｅの自由端側に水平方向に屈曲した係止部２５０ｆが突設されている。
前記外力が作用しない第１端部２５０ｃと外力が作用しない第２端部２５０ｂ（特に立ち上がり部２５０ｄ）とは、巻線部２５０ａからその先端に向かうに従って、それぞれが離れ拡がる方向に向けて延びる略八の字状に形成されている。
【００４８】
基板２２２は、図１５（Ａ）（Ｅ）において示すように、軸２４６の一端を軸支する軸固定部たる軸受板２２４と、前記軸受板２２４の枢軸固定用貫通孔２２６より向こう側にわずかにずれた位置に形成され、軸２４６の他端を軸支する軸固定部たる軸受部２３８とを有する。
軸受板２２４の枢軸固定用貫通孔２２６と軸受部２３８の枢軸固定用貫通孔２４０とに架け渡されて固定された軸２４６は、その綴じ部材２７０側である軸受部２３８側の方が、軸２４６の軸受板２２４側を中心にして操作レバー２６０の自由端より離れる方向に水平面上において回転した位置において、軸受部２３８の枢軸固定用貫通孔２４０に固定されている。
【００４９】
ばね部材２５０は、図１５（Ａ）（Ｃ）（Ｄ）において示すように、軸固定部たる軸受板２２４と軸受部２３８との間において、巻線部２５０ａが軸２４６の軸回りにおいて基板２２２と略平行に装着され、前記外力が作用しない第２端部２５０ｂは、操作レバー２６０の長手方向と略平行に操作レバー２６０に固定されている。
すなわち、前記外力が作用しない第２端部２５０ｂは、被綴じ物Ｘを押圧するホールド状態と被綴じ物より離れるオープン状態とに開閉するために操作レバー２６０を回動させる方向、すなわち操作レバー２６０が回動する軌道面に沿って、操作レバー２６０に固定されている。したがって、ばね部材２５０は、不用な干渉なくスムーズに動くことができ、操作レバー２６０の上昇及び下降等の動きもスムーズになる。
【００５０】
操作レバー２６０を回動してロック状態にするとき及びロック状態を解除するときに、ばね部材２５０の第１端部２５０ｃが回動するが、巻線部２５０ａは、それに対応して縮まったり緩んだりするために、巻線部２５０ａの内径は、若干軸２４６の外径との間に隙間が設けられるように構成されている。そして、巻線部２５０ａは、軸２４６の外周面上に巻装されている。
すなわち、巻線部２５０ａは、操作レバー２６０の長手方向とは斜めに交差するように第２端部２５０ｂ側から第１端部２５０ｃ側に向けて延び、ばね部材２５０の第１端部２５０ｃの側が、第２端部２５０ｂの側より向こう側の位置において、基板２２２に固定されている。
ばね部材２５０に外力が作用しないとき、第２端部２５０ｂは、操作レバー２６０の自由端を軸２４６を枢軸として押し上げるように形成され、第１端部２５０ｃは、綴じ部材２７０を基板２２２の表面に接近するように形成されている。
ばね部材２５０は、第２端部２５０ｂが操作レバー２６０の長手方向と略平行に操作レバー２６０に固定されているので、操作レバー２６０を倒伏位置に向けて押し下げるとき、軸受板２２４と略平行な方向すなわち垂直方向に向けて押し下げ、軸受板２２４に形成された固定部たる固定用凸部２２８に係止させることができる。
【００５１】
基板２２２上に形成された、平面視略長方形状の綴じ部材２７０は、図１５（Ａ）（Ｂ）（Ｆ）において示すように、基板２２２の長手方向に延びて軸受板２２４と平行に取り付けられ、軸受板２２４とは反対側の長手端縁が基板２２２の表面に接近離間するように形成される。綴じ部材２７０は、たとえば１枚の金属板によって形成される。綴じ部材２７０は、たとえば第１枢支部２３０と第２枢支部２３４との距離より短い長さを有し、幅方向において上方に向けて膨らむように屈曲する形状（断面略アーチ状）に形成される。
そして、綴じ部材２７０の幅方向の軸受板２２４側において、その長手方向の両側にのびる枢軸たる枢軸部２７２が形成される。これらの枢軸部２７２が、枢軸受けたる第１枢支部２３０の枢支貫通孔２３２および枢軸受けたる第２枢支部２３４の枢支貫通孔２３６に嵌め込まれる。手前側の第２枢支部２３４の枢支貫通孔２３６は、向こう側の第１枢支部２３０の枢支貫通孔２３２と比較して、基板２２２からの高さが低くなるように形成され、向こう側の枢支貫通孔２３２に枢支された綴じ部材２７０の向こう側の第１枢軸２７２ａの方が、手前側の枢支貫通孔２３６に枢支された綴じ部材２７０の手前側の第２枢軸２７２ｂの方より高い位置で枢支されている。
【００５２】
綴じ部材２７０は、図１５（Ｆ）において示すように、枢軸部２７２側より軸受板２２４とは反対側の斜め上方に延びた立ち上がり部２７０ａと、立ち上がり部２７０ａの上端から斜め下方（水平面に対して略２２°）に向けて延びた平板状の架け渡し部２７０ｂと、架け渡し部２７０ｂの自由端に、綴じ部材２７０の手前側端縁より向こう側端縁に亘って斜め下方（垂直面に対して略１５°）に向けて折り曲げられて形成された押圧部２７６とが形成されている。押圧部２７６は、書類などの被綴じ物Ｘを押えるときに、架け渡し部２７０ｂ側に若干撓みつつ押圧部２７６が書類などの被綴じ物Ｘを押圧し得るように形成されている。
【００５３】
前記綴じ部材２７０は、その全体が平面視略長方形状で正面視略々アーチ状にわん曲した板状体に形成されており、幅方向におけるその一端側部分に前記押圧部２７６が下方に向かってのびるように形成され、幅方向におけるその他端側部分（軸受板２２４側部分）に一対の枢軸部２７２が前記他端側部分に平行にかつ互いに逆方向にのびるように形成されている。押圧部２７６は、基板２２２の長手方向にのび、枢軸部２７２は、基板２２２の長手方向にのびる。綴じ部材２７０は、幅方向において、前記一端側部分および前記他端側部分間の中央部分と前記一端側部分との間に、前記付勢部材たるばね部材２５０の一部分（第１端部２５０ｃ）を挿通するための貫通孔２７８が形成されている。
【００５４】
立ち上がり部２７０ａは、綴じ部材２７０の長手方向（手前側端から向こう側端に至る方向）における中央より向こう側において、一部切り欠かれて、ばね部材収容部２７０ａ１が形成されている。
架け渡し部２７０ｂは、ばね部材収容部２７０ａ１に臨む領域において、下向き（下方向）に凹まされて、ばね部材２５０の第１端部２５０ｃを嵌め込むためのばね部材固定部２７４が形成されている。
【００５５】
ばね部材２５０は、第１端部２５０ｃが綴じ部材２７０の内面に近似した形状に形成され、ばね部材２５０の立ち上がり部２５０ｄが綴じ部材２７０の立ち上がり部２７０ａに沿って立ち上がり、そしてばね部材２５０の架け渡し部２５０ｅが綴じ部材２７０のばね部材固定部２７４に沿ってのびて、ばね部材２５０の係止部２５０ｆが綴じ部材２７０の内面側に係止固定されるように設けられている。
【００５６】
ばね部材固定部２７４には、円形、矩形、半円又は扇形の貫通孔２７８が形成され、ばね部材２５０の第１端部２５０ｃがばね部材収容部２７０ａ１側より緩挿され、ばね部材２５０の第１端部２５０ｃの先端部（係止部２５０ｆ）が折り曲げられて貫通孔２７８から外れないようにされている。
貫通孔２７８は、ばね部材２５０の第１端部２５０ｃの外形より少し大きい大きさで、ばね部材２５０の第１端部２５０ｃを緩挿できる形状に形成されており、ばね部材２５０が貫通孔２７８の中で若干動くことができる隙間をあけるように構成されている。
【００５７】
前記綴じ部材２７０は、前記一対の枢軸部２７２を回転中心として回転可能に支持されるとともに、前記一対の枢軸部２７２（向こう側の第１枢軸２７２ａ及び手前側の第２枢軸２７２ｂ）がのびる基板２２２の長手方向にスライド可能に支持され、前記綴じ部材２７０は、前記ばね部材２５０の前記一部分（第１端部２５０ｃ）が前記上方向に移動するときに、前記一対の枢軸部２７２を回転中心として回転し、前記ばね部材２５０の前記一部分（第１端部２５０ｃ）が前記基板２２２の長手方向に移動するときに、前記一対の枢軸部２７２が伸びる方向（向こう側）にスライドする。
向こう側の第１枢軸２７２ａは、綴じ部材２７０の向こう側端縁より長く向こう側にのび、手前側の第２枢軸２７２ｂは、綴じ部材２７０の手前側端縁より長く手前側にのびている。
向こう側の第１枢軸２７２ａの長さと手前側の第２枢軸２７２ｂとの長さは、同一に形成されている。綴じ部材２７０は、その手前側から向こう側との間の長さすなわち長手方向の長さが、第１枢支部２３０と第２枢支部２３４との間の長さ（手前側から向こう側に至る長手方向における長さ）より短く形成され、被綴じ物Ｘを綴じるときに押圧する領域を広くとるように構成されている。
枢軸部２７２は、基板２２２とのあいだの間隔を同一にするように、向こう側の第１枢軸２７２ａと手前側の第２枢軸２７２ｂとが、水平に突設されている。
また、第１枢支部２３０と第２枢支部２３４とは、綴じ部材２７０が被綴じ物Ｘを押圧するホールド状態のときに、綴じ部材２７０が手前側と向こう側とが基板２２２に密着し、且つ、綴じ部材２７０が被綴じ物Ｘを押圧するホールド状態にするとき及び被綴じ物より離れるオープン状態に開閉するために、綴じ部材２７０が枢軸部２７２を中心として回動したときに、基板２２２との間において常に同一の間隔をもって回動するように構成されている。
【００５８】
向こう側の第１枢軸２７２ａの向こう側の先端と手前側の第２枢軸２７２ｂの手前側の先端との間の長さは、第１枢支部２３０と第２枢支部２３４との間の長さより長くなるように形成され、綴じ部材２７０が向こう側にスライド移動して第１枢支部２３０と突き当たる迄移動したときに、手前側の第２枢軸２７２ｂが、第２枢支部２３４の枢支貫通孔２３６から抜け出ないように形成されるとともに、綴じ部材２７０が手前側にスライド移動して第２枢支部２３４と突き当たる迄移動したときに、向こう側の第１枢軸２７２ａが第１枢支部２３０の枢支貫通孔２３２から抜け出ないように形成されている。
【００５９】
第１枢支部２３０及び第２枢支部２３４は、軸受板２２４とは反対側の端縁が、綴じる書類などの被綴じ物Ｘの端縁を揃えるための軸受板２２４の面と平行な面を有する、用箋揃え部２９０を形成している。
第１枢支部２３０及び第２枢支部２３４は、軸受板２２４とは反対側の端縁が、用箋揃え部２９０の軸受板２２４とは反対側の表面と同一平面（想像上）上に揃うように形成されている。
したがって、第１枢支部２３０及び第２枢支部２３４の端縁がガイドとなって、用箋揃え部２９０に綴じる書類などの被綴じ物Ｘの端縁を当接させて綴じることができる。
【００６０】
したがって、綴じ部材２７０は、２つの枢軸部２７２を結ぶ線を回転中心として回動可能となっている。
そして、操作レバー２６０の手前側の自由端を押さえてロックするとき、綴じ部材２７０の手前側の第２枢軸２７２ｂが低いので、ばね部材２５０の係止部２５０ｆが綴じ部材２７０のばね部材固定部２７４を押える位置（綴じ部材２７０の長手方向における中央より向こう側）より遠い部位から被綴じ物Ｘを押さえ始めて、被綴じ物Ｘにかかる押える力のバランスが向こう側と手前側と均等となる。
【００６１】
ばね部材２５０の第１端部２５０ｃを嵌め込むためのばね部材固定部２７４は、綴じ部材２７０の長手方向における中央よりも向こう側に形成され、貫通孔２７８は、綴じ部材２７０の前後端に形成された枢軸部２７２の間（第１枢軸２７２ａと第２枢軸２７２ｂとの間）において、綴じ部材２７０の長手方向における中央よりも向こう側において、軸２４６に巻装された巻線部２５０ａに近い位置に形成されている。
図１５に示す綴じ具２２０は、操作レバー２６０の手前側の自由端側を押し下げることにより、綴じ部材２７０の長手方向における中央よりも向こう側をばね部材２５０により押さえ付け、向こう側の第１枢軸２７２ａ及び手前側の第２枢軸２７２ｂを結ぶ線を回転中心として回動させ、基板２２２との間に挟みこまれた被綴じ物Ｘを押さえ付けて綴じることができる。
そして、操作レバー２６０の手前側の操作部２６０ｃを押さえてロックするとき、綴じ部材２７０の手前側の第２枢軸２７２ｂが低いので、ばね部材２５０の第１端部２５０ｃが綴じ部材２７０のばね部材固定部２７４を押さえる位置より遠い部位から被綴じ物Ｘを押さえ始めることにより、また、押圧部２７６の自由端に形成された被綴じ物Ｘに接地する接地領域が、向こう側の接地部２７６ａと手前側の接地部２７６ｂとに分かれており、向こう側の接地部２７６ａの方が手前側の接地部２７６ｂより短い接地面積となるように形成されていることと相俟って、被綴じ物Ｘにかかる押える力のバランスは、手前側と向こう側において均等になる。
【００６２】
この変形例においては、貫通孔２７８は、綴じ部材２７０の前後端に形成された枢軸部２７２の間において、綴じ部材２７０のばね部材固定部２７４の長手方向における中央よりも向こう側、すなわち軸２４６に巻装された巻線部２５０ａに近い位置に形成されている。
さらに、押圧部２７６には、書類などの被綴じ物Ｘを押さえ付けたときの力による変形を防ぐために、直線状のリブ２８０が長手方向に連続して形成され、架け渡し部２７０ｂにも、書類などの被綴じ物Ｘを押さえ付けたときの力による変形を防ぐために、１条の直線状のリブが長手方向に連続して形成されている。
【００６３】
図１６に示す図１の変形例たる綴じ部材３７０は、一対の枢軸部３７２を回転中心として回転可能に支持されるとともに、前記一対の枢軸部３７２がのびる基板３２２の長手方向にスライド可能に支持され、向こう側の第１枢軸３７２ａは、綴じ部材３７０の向こう側端縁より長く手前側にのび、手前側の第２枢軸３７２ｂは、綴じ部材３７０の手前側端縁より長く手前側にのびている。
【００６４】
ばね部材固定部４７４は、図１７において示すように、綴じ部材４７０の頂部ｔ及び／又は中央ｃより押圧部４７６側にあってもよい。
綴じ部材４７０は、立ち上がり部４７０ａ，架け渡し部４７０ｂ，ばね部材収容部４７０ａ１，枢軸部４７２，（向こう側の）第１枢軸４７２ａ，（手前側の）第２枢軸４７２ｂ，（手前側の）凹部４７２ｄ，首部４７２ｅ，貫通孔４７８，リブ４８０，及び下縁ｅを備えている。
【００６５】
綴じ部材５７０の頂部ｔは、図１８において示すように、綴じ部材５７０の枢軸部５７２がのびる長手方向と交差する方向における中央部、すなわち枢軸部５７２と押圧部５７６との間の中央ｃの近傍にあってもよい。
綴じ部材５７０は、立ち上がり部５７０ａ，架け渡し部５７０ｂ，ばね部材収容部５７０ａ１，（手前側の）凹部５７２ｄ，首部５７２ｅ，ばね部材固定部５７４，貫通孔５７８，リブ５８０，及び下縁ｅを備えている。
また、綴じ部材５７０の頂部ｔは、中間（中央ｃ）より枢軸部５７２側、あるいは押圧部５７６側にあってもよい。
【００６６】
前記綴じ部材７０は、前記付勢部材たるばね部材５０の前記一部分（第１端部５０ｃ）が前記上方向に移動する際に、前記一対の枢軸部７２（向こう側の第１枢軸７２ａと手前側の第２枢軸７２ｂ）を回転中心として回転し、前記付勢部材たるばね部材５０の前記一部分（第１端部５０ｃ）が前記基板２２の長手方向に移動する際に、前記一対の枢軸部７２（向こう側の第１枢軸７２ａと手前側の第２枢軸７２ｂ）が伸びる方向にスライドする。
【００６７】
このような綴じ具２０は、たとえば、図１９に示すように、基板２２に形成された基板固定用貫通孔４４に取付用金具などを挿通することにより、ファイルなどに取り付けられる。そして、操作レバー６０を操作することにより、綴じ部材７０を開閉することができる。ここで、図１に示すように、操作レバー６０を上げることにより、ばね部材５０の第１端部５０ｃが綴じ部材７０を持ち上げ、基板２２と綴じ部材７０の押圧部７６との間に隙間が生じる。この隙間に書類などの被綴じ物Ｘが挿入され、操作レバー６０の手前側の自由端側を下げることにより、綴じ部材７０が閉じて、押圧部７６によって書類などの被綴じ物Ｘが基板２２に向かって押し付けられる。つまり、操作レバー６０を下げることにより、ばね部材５０の巻線部５０ａが締め付けられ、ばね部材５０の第１端部５０ｃによって、綴じ部材７０の押圧部７６が基板２２方向に付勢される。
【産業上の利用可能性】
【００６８】
この発明にかかる綴じ具は、たとえばリングファイルやバインダの綴じ具に適用できる。
【符号の説明】
【００６９】
２０，２２０  綴じ具
２２，２２２，３２２  基板
２４，１２４，２２４  軸受板
２６，２２６  枢軸固定用貫通孔
２８，２２８  固定用凸部
３０，２３０  第１枢支部
３２，２３２  枢支貫通孔
３４，２３４  第２枢支部
３６，２３６  枢支貫通孔
３８，２３８  軸受部
４２  凸部
４２ａ  凸条
４４  基板固定用貫通孔
４６，２４６  軸
５０，１５０，２５０  ばね部材
５０ａ，２５０ａ  巻線部
５０ｂ，２５０ｂ  第２端部
５０ｃ，１５０ｃ，２５０ｃ  第１端部
５０ｄ，２５０ｄ  立ち上がり部
５０ｅ，２５０ｅ  架け渡し部
５０ｆ，２５０ｆ  係止部
６０，２６０  操作レバー
６０ａ  第１垂直側壁
６０ｂ  第２垂直側壁
６０ｃ，２６０ｃ  操作部
６２  レバー貫通孔
６４  折曲片
６６  係止貫通孔
６６ａ  上縁
６６ｂ  下縁
６８  ロック用係止部
７０，１７０，２７０，３７０，４７０，５７０  綴じ部材
７０ａ，１７０ａ，２７０ａ，４７０ａ，５７０ａ  立ち上がり部
７０ｂ，１７０ｂ，２７０ｂ，４７０ｂ，５７０ｂ  架け渡し部
７０ａ１，１７０ａ１，２７０ａ１，４７０ａ１，５７０ａ１  ばね部材収容部
７２，１７２，２７２，３７２，４７２，５７２  枢軸部
７２ａ，２７２ａ，３７２ａ，４７２ａ  （向こう側の）第１枢軸
７２ｂ，２７２ｂ，３７２ｂ，４７２ｂ  （手前側の）第２枢軸
７２ｃ  （向こう側の）凹部
７２ｄ，４７２ｄ，５７２ｄ  （手前側の）凹部
７２ｅ，４７２ｅ，５７２ｅ  首部
７４，１７４，２７４，５７４  ばね部材固定部
７６，１７６，２７６，４７６  押圧部
７６ａ，１７６ａ，２７６ａ  向こう側の接地部
７６ｂ，１７６ｂ，２７６ｂ  手前側の接地部
７８，２７８，４７８，５７８  貫通孔
８０，２８０，４８０，５８０  リブ
９０，２９０  用箋揃え部
９２，９４  枢軸支持部
２４０  枢軸固定用貫通孔
ｃ  中央
ｅ  下縁
ｔ  頂部
Ｘ  被綴じ物
【図１】
2011189552.tif 000003
【図２】
2011189552.tif 000004
【図３】
2011189552.tif 000005
【図４】
2011189552.tif 000006
【図５】
2011189552.tif 000007
【図６Ａ】
2011189552.tif 000008
【図６Ｂ】
2011189552.tif 000009
【図７Ａ】
2011189552.tif 000010
【図７Ｂ】
2011189552.tif 000011
【図７Ｃ】
2011189552.tif 000012
【図７Ｄ】
2011189552.tif 000013
【図８】
2011189552.tif 000014
【図９Ａ】
2011189552.tif 000015
【図９Ｂ】
2011189552.tif 000016
【図９Ｃ】
2011189552.tif 000017
【図９Ｄ】
2011189552.tif 000018
【図１０】
2011189552.tif 000019
【図１１】
2011189552.tif 000020
【図１２】
2011189552.tif 000021
【図１３】
2011189552.tif 000022
【図１４】
2011189552.tif 000023
【図１５Ａ】
2011189552.tif 000024
【図１５Ｂ】
2011189552.tif 000025
【図１５Ｃ】
2011189552.tif 000026
【図１５Ｄ】
2011189552.tif 000027
【図１５Ｅ】
2011189552.tif 000028
【図１５Ｆ】
2011189552.tif 000029
【図１６】
2011189552.tif 000030
【図１７】
2011189552.tif 000031
【図１８】
2011189552.tif 000032
【図１９】
2011189552.tif 000033